(57)【要約】【課題】タッチパネルの操作箇所がどのような形状であっても、視認不可能な状況下でも正確な操作を行うことを可能とする撮像装置を提供すること。【解決手段】画像表示パネルと、タッチパネルを含む表示装置を備えた撮像装置において撮影者が前記表示装置における前記タッチパネルの操作部を視認可能状態か否かを判定する判定部と、前記表示装置における前記タッチパネルの操作部の位置を触覚によって検知可能にする触感発生部と、前記タッチパネルのタッチ検出位置から該触感発生部による触感発生領域を判定する触感発生領域判定手段とを備え、前記判定部が前記タッチパネルの操作部を視認可能状態でないと判定している状態で前記表示装置における前記タッチパネルがタッチを検知すると前記触感発生領域判定手段は該タッチパネルが検知した位置を起点に触感発生領域を判定し、前記触感発生部は判定された触感発生領域に触感部を発生させることを特徴とする。【選択図】図５
2019074824.tif 000002
【特許請求の範囲】
【請求項１】
画像表示パネル（４１）と、タッチパネル（４２）を含む表示装置（４０）を備えた撮像装置（１００）において撮影者が前記表示装置（４０）における前記タッチパネル（４２）の操作部を視認可能状態か否かを判定する判定部（５０）と、前記表示装置（４０）における前記タッチパネル（４２）の操作部の位置を触覚によって検知可能にする触感発生部（４５）と、前記タッチパネル（４２）のタッチ検出位置から該触感発生部（４５）による触感発生領域を判定する触感発生領域判定手段（４６）とを備え、前記判定部（５０）が前記タッチパネル（４２）の操作部を視認可能状態でないと判定している状態で前記表示装置（４０）における前記タッチパネル（４２）がタッチを検知すると前記触感発生領域判定手段（４６）は該タッチパネル（４２）が検知した位置を起点に触感発生領域を判定し、前記触感発生部（４５）は判定された触感発生領域に触感部を発生させることを特徴とする撮像装置（１００）とその制御方法。
【請求項２】
前記触感部（３０１）はバーやリング状のスライド可能な形状で前記タッチパネル（４２）は該触感部（３０１）がスライドするようにタッチされるとタッチ操作の移動量に応じて前記撮像装置の設定値を変更させることを特徴とする請求項１に記載の撮像装置。
【請求項３】
前記触感部（３０１）は前記設定値の単位に応じて所定の幅ごとに高さを異ならせることを特徴とする請求項１又は請求項２に記載の撮像装置。
【請求項４】
撮像装置（１００）は被写体像の合焦位置を確認するためのファインダー（１６）を有し、前記触感部（３０１）により変更可能になる前記設定値は前記ファインダー（１６）上で表示され、変更可能なことが明示されることを特徴とする請求項１乃至請求項３の何れか一項に記載の撮像装置。
【発明の詳細な説明】
【技術分野】
【０００１】
本発明は、撮像装置に関し、特にタッチパネルを備えた撮像装置に関する。
【背景技術】
【０００２】
近年、デジタルカメラやビデオカメラ等の撮像装置において、小型化や操作性の向上が求められる反面、表示手段は表示画像を見やすくするためにより大きな表示画面を有するものが望まれている。これらを満たすために、液晶表示装置等の表示装置と透明なタッチパネル等の接触検出センサーを重ねて利用することがなされている。
【０００３】
また、タッチパネルにおいては、操作箇所を視認しなくても正確な操作性を提供することがなされている。特許文献１のようにタッチパネル表面を部分的に変化させることで、正確な操作を可能にする構成が開示されている。
【先行技術文献】
【特許文献】
【０００４】
【特許文献１】特開２００６−２８５７８５号公報
【発明の概要】
【発明が解決しようとする課題】
【０００５】
しかしながら、上記の特許文献１に開示された従来技術では、撮影するためにファインダーを覗いた状態でタッチパネルを操作する場合に、タッチパネルの表面が部分的に変化した操作箇所を視認できないため、操作箇所を指で探す必要があり操作しづらく、誤操作する可能性がある。とくに指をスライドさせて操作するスライダーやリング形状のタッチ操作においてはスライドする範囲がわからないため、誤操作する可能性が高くなる。
【０００６】
そこで、本発明の目的は、タッチパネルの操作箇所がどのような形状で有っても、視認不可能な状況下でも正確な操作を行うことを可能とする撮像装置を提供することにある。
【課題を解決するための手段】
【０００７】
上記の目的を達成するために、本発明に係る撮像装置は、
画像表示パネル（４１）と、タッチパネル（４２）を含む表示装置（４０）を備えた撮像装置（１００）において撮影者が前記表示装置（４０）における前記タッチパネル（４２）の操作部を視認可能状態か否かを判定する判定部（５０）と、前記表示装置（４０）における前記タッチパネル（４２）の操作部の位置を触覚によって検知可能にする触感発生部（４５）と、前記タッチパネル（４２）のタッチ検出位置から該触感発生部（４５）による触感発生領域を判定する触感発生領域判定手段（４６）とを備え、前記判定部（５０）が前記タッチパネル（４２）の操作部を視認可能状態でないと判定している状態で前記表示装置（４０）における前記タッチパネル（４２）がタッチを検知すると前記触感発生領域判定手段（４６）は該タッチパネル（４２）が検知した位置を起点に触感発生領域を判定し、前記触感発生部（４５）は判定された触感発生領域に触感部（３０１）を発生させることを特徴とする。
【発明の効果】
【０００８】
本発明によれば、タッチパネルの操作箇所がどのような形状であっても、視認不可能な状況下でも正確な操作を行うことを可能とする撮像装置を提供することができる。
【図面の簡単な説明】
【０００９】
【図１】本実施形態の撮像装置１００の外観斜視図である。
【図２】本実施形態の可動式表示装置４０を開いた状態での背面図である。
【図３】本実施形態の撮像装置１００の構成を示すブロック図である。
【図４】本実施形態の触感発生部４５の制御方法を示したフローチャートである。
【図５】本実施形態のタッチパネル４２の表面形状に作動させた触感部３０１の概略図である。
【図６】本実施形態のスライド操作で設定変更可能な設定値を明示したファインダーの概略図である。
【図７】本実施形態のタッチパネル４２の表面形状に作動させた触感部３０１の凸形状の概略図である。
【発明を実施するための形態】
【００１０】
以下、本発明を実施するための形態について、図面を参照しながら説明する。
【００１１】
［実施形態１］
以下に、本発明の好ましい実施形態１を、添付の図面に基づいて詳細に説明する。
【００１２】
図１（ａ）、（ｂ）に、本発明の画像表示装置の一例としての撮像装置の外観図を示す。図１（ａ）は撮像装置１００の前面斜視図であり、図１（ｂ）は撮像装置１００の背面斜視図である。図２は撮像装置１００の可動式表示装置４０を開状態にした背面図である。
【００１３】
可動式表示装置４０はＬＣＤパネル４１と、前記ＬＣＤパネル４１と一体に構成されたタッチパネル４２で構成され、画像や各種情報を表示可能である。
【００１４】
タッチパネル４２は、内部に公知の技術である図１及び２では図３に示した触感発生部４５を備えている。また、ヒンジ部４３によって左右開閉方向、上下反転方向の２軸で回転可能に支持されている。
【００１５】
収納面４４は、可動式表示装置４０が収納されているときに背面カバー１９と対向する面で、開状態においては背面カバー１９に設けられた凹形状の底面となっている。背面カバー１９には、係止爪４７が備えられており、可動式表示装置４０が背面カバー１９に収納されるときに係止することが可能である。収納面４４には弾性部材４８が備えられ、可動式表示装置４０が収納され、係止爪４７により係止されている状態において圧縮状態となり、可動式表示装置４０を係止爪４７に付勢する。
【００１６】
シャッターボタン６１は撮影指示を行うための操作部である。
【００１７】
モード切り替えダイヤル６０は、動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。メイン電子ダイヤル７１は回転操作部材であり、このメイン電子ダイヤル７１を回すことで、モード切り替えダイヤル６０にて設定されたモードに応じてシャッター速度や絞りなどの設定値の変更等が行える。
【００１８】
電源スイッチ７２は撮像装置１００の電源のＯＮ及びＯＦＦを切り替える操作部材である。
【００１９】
十字キー７４は、上、下、左、右部分をそれぞれ押し込み可能な十字キーである。
【００２０】
ＳＥＴボタン７５は押しボタンであり、主に選択項目の決定などに用いられる。
【００２１】
ＬＶボタン７６は、静止画撮影モードにおいてライブビュー（以下、ＬＶ）のＯＮとＯＦＦを切り替えるボタンである。動画撮影モードにおいては、動画撮影（記録）の開始、停止の指示に用いられる。
【００２２】
拡大ボタン７７は、撮影モードのＬＶ表示において拡大モードのＯＮ、ＯＦＦ、及び拡大モード中の拡大率の変更を行うための操作ボタンである。再生モードにおいては再生画像を拡大し、拡大率を増加させるための拡大ボタンとして機能する。
【００２３】
再生ボタン７８は、撮影モードと再生モードとを切り替える操作ボタンである。撮影モード中に再生ボタン７８を押下することで再生モードに移行し、図１及び２では不図示の記録媒体２００に記録された画像のうち最新の画像を可動式表示装置４０に表示させることが可能である。
【００２４】
クイックリターンミラー１２（以下、ミラー１２）は、図１及び２では不図示のシステム制御部５０の指示により、アクチュエータを動作させることでアップダウンされる。
【００２５】
カメラ側通信端子１０は撮像装置１００が図１及び２では不図示のレンズユニット１５０（着脱可能）と通信を行うための通信端子である。
【００２６】
ファインダー１６は、図１及び２では不図示のペンタプリズム１４を介してフォーカシングスクリーン１３を観察することで、レンズユニット１５０を通して得た被写体像の焦点や構図の確認を行うための光学ファインダーである。
【００２７】
接眼検出部１８は撮影者がファインダー１６を覗いていることを検出するためのセンサーである。蓋２０２は、記録媒体２００を格納するスロットの蓋である。
【００２８】
グリップ部９０は、撮影者が撮像装置１００を構えた際に右手で握りやすい形状とした保持部である。
【００２９】
図３は、本実施形態による撮像装置１００の構成例を示すブロック図である。
【００３０】
図３において、レンズユニット１５０は、交換可能な撮影レンズを搭載するレンズユニットである。
【００３１】
レンズ１０３は通常、複数枚のレンズから構成されるが、ここでは簡略して一枚のレンズのみで示している。
【００３２】
レンズ側通信端子６はレンズユニット１５０が撮像装置１００側と通信を行うための通信端子であり、カメラ側通信端子１０は撮像装置１００がレンズユニット１５０側と通信を行うための通信端子である。
【００３３】
レンズユニット１５０は、この通信端子６、１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００３４】
ＡＥセンサー１７は、レンズユニット１５０を通した被写体の輝度を測光する。
【００３５】
焦点検出部１１は、システム制御部５０にデフォーカス量情報を出力する。システム制御部５０はそれに基づいてレンズユニット１５０を制御し、位相差ＡＦを行う。
【００３６】
ミラー１２は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切り替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００３７】
撮影者は、ペンタプリズム１４とファインダー１６を介して、フォーカシングスクリーン１３を観察することで、レンズユニット１５０を通して得た被写体の光学像の焦点や構図の確認が可能となる。
【００３８】
ファインダー内表示部２６は、フォーカシングスクリーン１３へＬＥＤ光を投光する装置であり、観察される被写体像に測距点や測距エリアなどの情報をファインダー１６内に表示する（スーパーインポーズする）ために用いられる。
【００３９】
アイピースシャッター２１は、ファインダー１６を用いず撮像する際に閉じることで、ファインダー１６からの入射光を防ぐためのシャッターである。
【００４０】
シャッター１０１は、システム制御部５０の制御で撮像部２２の露光時間を自由に制御できるフォーカルプレーンシャッターである。
【００４１】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００４２】
画像処理部２５は、Ａ／Ｄ変換器２３からのデータ、またはメモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＦＥ（調光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。Ａ／Ｄ変換器２３からの出力データは、画像処理部２５及びメモリ制御部１５を介して、或いは、メモリ制御部１５を介してメモリ３２に直接書き込まれる。
【００４３】
メモリ３２は、撮像部２２によって得られＡ／Ｄ変換器２３によりデジタルデータに変換された画像データや、ＬＣＤパネル４１に表示するための画像データを格納する。メモリ３２は、所定枚数の静止画像や所定時間の動画像及び音声を格納するのに十分な記憶容量を備えている。また、メモリ３２は画像表示用のメモリ（ビデオメモリ）を兼ねている。
【００４４】
Ｄ／Ａ変換器２４は、メモリ３２に格納されている画像表示用のデータをアナログ信号に変換してＬＣＤパネル４１に供給する。こうして、メモリ３２に書き込まれた表示用の画像データはＤ／Ａ変換器２４を介してＬＣＤパネル４１により表示される。
【００４５】
ＬＣＤパネル４１は、Ｄ／Ａ変換器２４からのアナログ信号に応じた表示を行う。Ａ／Ｄ変換器２３によって一度Ａ／Ｄ変換されメモリ３２に蓄積されたデジタル信号をＤ／Ａ変換器２４においてアナログ変換し、ＬＣＤパネル４１に逐次転送して表示することで、電子ビューファインダーとして機能し、スルー画像表示（ライブビュー表示）を行える。
【００４６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。
【００４７】
システム制御部５０（請求項における判定部５０に相当する）は、撮像装置１００全体を制御する。前述した不揮発性メモリ５６に記録されたプログラムを実行することで、各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器２４、ＬＣＤパネル４１等を制御することにより表示制御も行う。
【００４８】
システムタイマー５３は各種制御に用いる時間や、内蔵された時計の時間を計測する計時部である。
【００４９】
モード切り替えダイヤル６０、第１シャッタースイッチ６２、第２シャッタースイッチ６４、操作部７０はシステム制御部５０に各種の動作指示を入力するための操作手段である。
【００５０】
モード切り替えダイヤル６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。モード切り替えダイヤル６０で、静止画撮影モードに含まれるこれらのモードのいずれかに直接切り替えられる。あるいは、モード切り替えダイヤル６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００５１】
第１シャッタースイッチ６２は、撮像装置１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＦＥ（調光）処理等の動作を開始する。
【００５２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００５３】
操作部７０の各操作部材は、ＬＣＤパネル４１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面がＬＣＤパネル４１に表示される。利用者は、ＬＣＤパネル４１に表示されたメニュー画面と、上下左右の４方向ボタンやＳＥＴボタンとを用いて直感的に各種設定を行うことができる。
【００５４】
操作部７０は、撮影者からの操作を受け付ける入力部としての各種操作部材である。操作部７０には、少なくともメイン電子ダイヤル７１、十字キー７４、ＳＥＴボタン７５、ＬＶボタン７６、拡大ボタン７７、再生ボタン７８が含まれる。
【００５５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００５６】
電源部３０は、アルカリ電池やリチウム電池等の一次電池やＮｉＣｄ電池やＮｉＭＨ電池、Ｌｉ電池等の二次電池、ＡＣアダプター等からなる。
【００５７】
記録媒体Ｉ／Ｆ２０は、メモリカードやハードディスク等の記録媒体２００とのインターフェースである。
【００５８】
記録媒体２００は、撮影された画像を記録するためのメモリカード等の記録媒体であり、半導体メモリや磁気ディスク等から構成される。
【００５９】
パネル状態検出部５１は、可動式表示装置４０が開閉方向に所定の角度以上、撮像装置１００の本体から開いた状態を開状態、それ以外の状態を閉状態とする検出結果をシステム制御部５０に出力する。またパネル状態検出部５１は、可動式表示装置４０が上下回転方向に所定の角度以上、上方向にあるいは下方向に回転した状態を反転状態、それ以外の状態を正位置状態とする検出結果をシステム制御部５０に出力する。
【００６０】
接眼検出部１８は、撮影者がファインダー１６を覗いていることを検出するためのセンサーであり、ファインダー１６付近に設定された赤外発光装置及びその反射光の受光装置で構成されている。
【００６１】
タッチパネル４２は、ＬＣＤパネル４１に重ね合わせて平面的に構成され、タッチされた位置に応じた座標情報が出力されるようにした入力デバイスである。
【００６２】
触感発生部４５は、タッチパネル４２を操作する操作子に触感を発生させる触感発生部である。触感発生部４５は、例えばＬＣＤパネル４１の表示領域に対応して区分けされたセルを有し、磁力や電圧によってセルをパネル前面に駆動することによりタッチパネル４２の表面形状を部分的に凸形状に変化させる駆動装置などにより構成される。
【００６３】
次に、本発明の特徴である触感発生部４５の制御方法について、図４のフローチャートと図５に示すタッチパネル４２の表面形状に作動させた触感部３０１の概略図を用いて説明する。
【００６４】
ステップＳ４０１で接眼検出部１８の信号検出を行い、それをもとにステップＳ４０２ではシステム制御部５０によって接眼の判定が行われる。接眼されている場合はステップＳ４０３に進み、ＬＣＤパネル４１の表示が停止される。
【００６５】
ステップＳ４０４でタッチパネル４２がユーザのタッチを検出する。タッチパネル４２がユーザのタッチを検出するとステップＳ４０５でタッチを検出した位置を起点に触感発生領域を判定する触感発生領域判定手段４６を内包したシステム制御部５０によって触感発生領域を判定する。たとえば、図５（ａ）のようにタッチパネル４２の右上でタッチを検出した場合は、ユーザがタッチパネル４２の表面上でスライド操作が可能な領域を判定し、ステップＳ４０６でタッチ検出位置からスライド操作が可能な下方向と左方向に凸形状のスライドバー３０１ａと３０１ｂを触感部として発生させる。また、ユーザの設定によって触感部３０１の形状を変更可能であり、図５（ｂ）のようにリング形状の触感部３０１ｃを作動させることもできる。スライド操作が可能な触感部３０１の形状は本実施形態に限定されず、その要旨の範囲内で種々の変形及び変更が可能である。上述したスライド操作可能な触感部３０１では撮像装置１００の撮影条件などの設定が可能であり、例えばシャッタースピードや交換レンズ１５０の絞り値、露出補正値などが設定可能である。
【００６６】
つぎに図６に、スライド操作で設定変更可能な設定値を明示したファインダーの概略図を示す。
【００６７】
触感部３０１が作動するとステップＳ４０７で触感部３０１のスライド操作で設定変更可能な設定値が図６に示すようにファインダー上に明示される。設定変更可能な設定値を明示する方法は設定値が枠で囲まれる表示や点滅表示などである。ステップＳ４０７で触感部３０１のスライド操作で設定変更可能な設定値が明示されるとユーザはスライド操作で設定値を変更し、操作は終了する。
【００６８】
つぎに図７に、タッチパネル４２の表面形状に作動させた触感部３０１の凸形状について概略図（ａ）とその断面図（ｂ）を示す。
【００６９】
触感部の凸形状は設定変更可能な設定値の単位に応じて凸の高さを変更可能であり、ば断面図（ｂ）に示す３０１ｄと３０１ｅのように段差を設けて、ユーザが触感部３０１をスライド操作した場合に設定値の単位がわかるように触感を与える。例えば設定変更可能な設定値がシャッタースピードや交換レンズ１５０の絞り値、露出補正値の場合は露出量１／３段ごとに高さが低い触感部３０１ｅを設け、露出量１段ごとに高さが高い触感部３０１ｄを設ける。これにより、タッチパネルの操作箇所がどのような形状であっても、視認不可能な状況下でも正確な操作を行うことを可能とする撮像装置を提供することができる。
【００７０】
以上、本発明の好ましい実施形態について説明したが、本発明はこれらの実施形態に限定されず、その要旨の範囲内で種々の変形及び変更が可能である。
【００７１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
１００  撮像装置、１８  接眼検出部、４０  可動式表示装置、
４１  ＬＣＤパネル、４２  タッチパネル、４５  触感発生部、
４６  触感発生領域判定手段
【図１】
2019074824.tif 000003
【図２】
2019074824.tif 000004
【図３】
2019074824.tif 000005
【図４】
2019074824.tif 000006
【図５】
2019074824.tif 000007
【図６】
2019074824.tif 000008
【図７】
2019074824.tif 000009